(57)【特許請求の範囲】
【請求項１】
複数の掲示板の発言内容を解析し、当該掲示板間の関係を視覚的に表示するための情報をクライアント装置に送信することが可能な情報媒介装置であって、
通信網に接続された前記複数の掲示板から単語を取得する情報収集部と、
前記複数の掲示板に含まれる単語を解析要素として所定の統計的手法により解析し、得られた当該複数の掲示板の相関関係に基づき、前記クライアント装置に表示される３次元仮想空間の中に各前記掲示板を表すオブジェクトを配置するための座標値を作成する解析部と、
前記掲示板から、所定の品詞、出現形、又は語幹に合致する単語を抽出する形態素解析部と、
前記形態素解析部により抽出された単語が含まれる前記掲示板を検索し、検索結果として抽出した掲示板を特定するＵＲＩを返す検索部と、
前記各掲示板のＵＲＩ及び座標値を前記クライアント装置に送信する通信制御部と、
掲示板毎に、掲示板を特定するアドレス情報、掲示板の最新更新日を示す情報、掲示板の発言数を示す情報が少なくとも格納される表示オブジェクトデータベースと、
を備え、
前記情報収集部は、前記掲示板の内容に対する追加、修正、更新の有無を調べ、追加、修正、更新が有る場合に、当該追加、修正、更新が行われた掲示板の内容を取得し、
前記解析部は、前記表示オブジェクトデータベースに格納されている情報、前記情報収集部により取得された単語を解析する、
情報媒介装置。
【請求項２】
前記解析部は、
前記３次元仮想空間において近傍に配置される複数の前記オブジェクトを代表する単語を表示するための道標データを作成する道標データ作成部と、
複数の前記オブジェクトの配置に関する規則性を視覚的に表示するためのガイドデータを作成するガイドデータ作成部と、
を備え、
前記通信制御部は、前記道標データ及び前記ガイドデータの一方又は両方を前記クライアント装置に送信する、
請求項１に記載の情報媒介装置。
【請求項３】
前記ガイドデータ作成部は、複数の前記オブジェクトが直線上に並ぶように配置される場合、当該直線を示すガイドデータを作成する、
請求項２に記載の情報媒介装置。
【請求項４】
前記クライアント装置に表示される前記オブジェクトの外観は、対応する掲示板の属性又は特性に応じて決定される、
請求項３に記載の情報媒介装置。
【請求項５】
前記クライアント装置に表示される前記オブジェクトは、対応する掲示板の所定期間における投稿数に応じた回転速度で回転するように表示される、
請求項４に記載の情報媒介装置。
【請求項６】
前記クライアント装置に表示される前記オブジェクトは、対応する掲示板の構成員数に応じた大きさで表示される、
請求項５に記載の情報媒介装置。
【請求項７】
通信網に接続された複数の掲示板から単語を取得する情報収集部と、前記複数の掲示板に含まれる単語を解析要素として所定の統計的手法により解析し、得られた当該複数の掲示板の相関関係に基づき、前記クライアント装置に表示される３次元仮想空間の中に各前記掲示板を表すオブジェクトを配置するための座標値を作成する解析部と、を有し、複数の掲示板の発言内容を解析して当該掲示板間の関係を視覚的に表示するための情報を送信することが可能な情報媒介装置から、前記通信網を介して情報を受け取る通信制御部と、
前記通信制御部により受け取った情報に基づいて前記オブジェクトを表示する表示部と、
を備え、
前記オブジェクトの外観は、対応する掲示板の属性又は特性に応じて決定され、
前記オブジェクトは、対応する掲示板の所定期間における投稿数に応じた回転速度で回転するように表示される、
クライアント装置。
【請求項８】
前記オブジェクトは、対応する掲示板の構成員数に応じた大きさで表示される、
請求項７に記載のクライアント装置。
【発明の詳細な説明】
【技術分野】
【０００１】
本発明は、情報媒介装置、及びクライアント装置に関する。
【背景技術】
【０００２】
近年の通信技術の発展とその一般社会への浸透に伴い、ＷＷＷ（World Wide Web、以下「インターネット」）上での情報源が増加している。情報源の例としては、たとえば複数人数参加型知的活動体（複数人がインターネットを介して相互に情報を交換する場をいい、例えば、インターネット上の電子掲示板（ＢＢＳ）システムやチャットシステムになどのインターネットの上にもうけられたネットワーク・コミュニティ（以下では単にコミュニティという））や、その他映像、絵画、音楽などを扱うサイトなど様々なコンテンツを扱うものが登場してきている。このような情報源の総数が膨大になるに従い、その膨大な数の情報源からユーザが自己の価値観に合致する情報源を探すことの困難さが増しており、その結果、ユーザの求めている情報源をユーザが効率良く選択し、参加できるように提示するための仕組みの必要性が高まっている。
【０００３】
情報源をユーザが効率良く選択できるように提示する仕組みの従来技術の一例として、まず、カテゴリ別分類表示が挙げられる。この方法は、あらかじめ情報源をいくつかのカテゴリ（たとえば、「芸術と人文」、「ビジネスと経済」、「コンピュータとインターネット」、…）に分類しておき、カテゴリ名を表示しておく方法である。ユーザは複数のカテゴリ名の中から１つを選択することにより、そのカテゴリに属する情報源が表示される。また多くの場合、カテゴリ分類は階層的になっているものが一般的である。階層的カテゴリ分類は、１つのカテゴリの中に副カテゴリが入っており、さらに１つの副カテゴリの中に副々カテゴリが入っている、というように繰り返し構造をとる。例えば、「エンターテインメント
＞ 映画、ビデオ ＞  映画音楽  ＞  …」のような繰り返し構造を取っている。
【０００４】
また、ユーザに情報源を提示する従来技術の別の例として、キーワードにより抽出した情報源を一覧にしてユーザに提示する手法が挙げられる。キーワードによる検索は、あらかじめ情報源と、その内容と対応するキーワードとを登録したデータベースを用意しておき、ユーザが興味のあるキーワードを入力することによって対応する情報源が表示されるというものである。この際に、キーワードとしては情報源の内容に現れる語句をそのまま採用することが一般的である。たとえば、「趣味」「釣り」などである。また、一覧を提示する場合の表示法としては、情報の新しい順に一覧リストにして表示する、ヒット件数が多い順に一覧リストにして表示するなどの方法が用いられている。
【特許文献１】特開２００１−１５５０６３号公報
【発明の開示】
【発明が解決しようとする課題】
【０００５】
しかし、上記のような従来の情報源の提示方法は、以下のような問題点がある。
【０００６】
［１．カテゴリ別分類表示］
まず、上述したようなカテゴリ別分類表示は、必ずしもユーザが求める情報源の体系的分類を効率良く表示できるわけではない。何故なら情報源はその設置目的、作成者の個性、設置者の個性、参加者の性向、該情報源で扱われる情報の種類・内容、参加者の多寡、活性度、議論、疑問の提示と解決、意見の表明、友達の募集、感情の共有などに応じてそれが有する「情報価値」が異なる。「情報価値」とは、情報源若しくは情報源に含まれる個々の情報に与えられる評価情報であり、特に、対象とする情報源の総体に対して個々の情報源が持つ特徴をより顕著に示す評価情報をいう。
【０００７】
一方、各ユーザは自分の持つ価値観により、望む情報価値が異なる。たとえば、一般に論理的な思考を好むユーザは論理的なものを好むであろうし、感性を重視するユーザは、感性を重んずるものを好むのである。
【０００８】
ユーザの満足度を考えると、個々のユーザの持つ価値観に沿って選択していける情報源の表示方法をとることが望ましいが、従来の一般的なカテゴリ別分類表示と、情報価値に基づいた分類表示は必ずしも一致していない。また、上述したような情報源の情報価値を客観的に定めカテゴリ名を付けることは、一般に困難である。したがって、このような情報の提示方法では、ユーザの求めている情報源をユーザが効率良く選択できるように提示することはできない。
【０００９】
［２．キーワード検索手法］
一方、キーワード検索手法に於いても、得られる表示結果が必ずしもユーザが求める価値観に沿ったものとはならない。何故ならば必ずしもユーザの指定したキーワード（例えば、「論理的」）が、望む情報価値を持つ情報源に含まれているとは限らないため、そのようなキーワードを用いて検索したとしてもユーザの求める「情報価値」を持つ情報源を検索出力できない場合が少なくないからである。また、一般にユーザは通常の検索のように、ある特定の話題に関する情報を検索する場合にキーワードを入力することと違い、上述したような自己の価値観に合致する「情報価値」を表すキーワードを明示的に言語化して入力することは常に自己分析を行っているようなユーザを除いて一般には困難である。
【００１０】
また、検索により抽出された情報源の表示順は必ずしもユーザ価値観に合致する順にはならないため、抽出されたすべての情報源の内容に当たらなければならず、抽出された情報源の数が膨大になればユーザは情報源の内容に当たることは事実上不可能となってしまう。したがって、このような従来の情報の提示方法では、ユーザの求めている情報源をユーザが効率良く選択できるように提示することはできない。
【課題を解決するための手段】
【００３９】
ネット上の情報源で扱われる内容及び目的は多岐に及んでおり、その情報価値も多種多様である。特に利用者参加型サイトにおける情報源に限ってみても、問題解決、情報交換、意見表明、友達募集、感情共有、コンテンツ交換、作品提示など非常に多岐に渡っている。またその内容の表現も、文字で表される情報源に限ってみても論理的な文章から感情を表す記号的な文字列まで多岐に及んでいる。このように多岐に渡っているネット上の情報源でやりとりされる内容、目的、表現及び表現手法の多様性は、その情報源に関わる参加者の価値観が反映し、自己発展的にその情報源が持つ価値観・思考系の軸として形成されてきた特性・属性であるととらえ、以下では「コミュニケーション価値」と呼ぶことにする。コミュニケーション価値は情報価値の１つの例である。
【００４０】
図１は、情報価値を説明するための概念図である。ユーザの思考系や表現欲求に基づくユーザ固有の価値観を「ユーザ価値観」と呼ぶことにする。ユーザ価値観の例を挙げるとするならば、例えば、「論理的な議論に重きを置く価値観」や、「論理的帰結にはこだわらないが、感情的表現を多用した、雰囲気共有を重視する価値観」などが挙げられる。これらの価値観は、ユーザ自身は必ずしも明示的に言語化できるわけではない。
【００４１】
同図において第１層Ｌ１はユーザの内面を示し、第２層Ｌ２は情報価値空間を示し、第３層Ｌ３は情報源からなる空間を示している。情報源は、文字情報を扱うものでも良いし、画像データのような非言語情報を扱うものでも良い。また、掲示板サイトのように複数参加者によって生成されるものでもよいし、１人の作成者によるものでもよい。
【００４２】
ユーザ１００は、心理的な内面１０１において、１または複数の価値観１０２（以下、「ユーザ価値観」という）を持ちうる。たとえば、同一ユーザが会社では論理的なものを重視するという価値観を有している一方、帰宅後はなごみ的な価値観を重視するということもある。
【００４３】
第２層Ｌ２は、情報価値が成す体系である情報価値空間である。なお、情報価値空間の導出には、例えば、特開2001-155063「思考系の解析方法および解析装置」に挙げられる解析方法を利用することが考えられる。
【００４４】
情報価値空間１０３には複数の情報価値１０４が存在しており、前述のユーザ価値観１０２はいずれかの情報価値１０４に対応し、ユーザ１００は自己のユーザ価値観１０２に対応する情報価値１０４を有する情報源に対して満足感を抱くものとする。しかしながら、一般にユーザが自己のユーザ価値観がどのようなものであるか明示的に把握している場合は少なく、またユーザの深層心理に含まれるようなユーザ価値観はユーザ自身も知りうることが困難であるため、自己のユーザ価値観１０２に対応する情報価値１０４を自律的に発見することは困難である。
【００４５】
第３層は、ネット上の情報源からなる空間１０５であって、空間１０５は複数の情報源１０６を含んでいる。情報源１０６は、一又は複数の情報１０７を含む。情報源１０６は、新たな情報の追加、古い情報の削除などによりその内容が刻々変化するものであっても良いし、その内容が変化しないものであっても良い。また、情報源１０６が有する情報１０７は不特定の複数の参加者によって提供される情報であっても良いし、特定の一又は複数の参加者によって提供されるものであっても良いし、その他いかなる提供方法による情報であっても良い。
【００４６】
情報源１０６に対応する情報価値１０４は、情報源の特性・属性を決定する重要な要素の１つである。何故ならその情報源１０６が持つ情報の文脈や思考の方向性といったものが情報価値１０４に表れ、その情報価値１０４によって新たな参加者が増えたり、知的活動がさらに発展したりするからである。しかし従来技術では情報価値１０４に基づいた情報源１０６の表示が実現できないという問題点が挙げられる。
【００４７】
本発明は、ネット上に存在する複数の情報源１０６を、その情報源が持つ情報価値１０４に基づいて表示するものである。たとえば、表示の際の、類似性に基づいた規則性に関しても、先に掲げた特開2001-155063「思考系の解析方法および解析装置」に挙げられる解析方法の例を利用することにより、同傾向の情報価値１０４を持つ情報源１０６を表すオブジェクトを近傍になるように配置したり、あるいは同じ直線上に並ぶように配置したりする。
【００４８】
また、本発明は、情報源１０６の情報価値１０４の類似性を導出する際には、該情報源に関わる者、たとえば、コミュニティの参加者や検索サイトの分類担当者などによる何らの付加的な評価過程（例えば、「このコミュニティは論理的帰結を重視していますか」などのアンケート集計等）を必要とすることなく、情報価値１０４の解析要素としてその情報源１０６が有する第一義的な情報を用いることを特徴とする。「第一義的な情報」とは、情報源１０６の目的に添って該情報源に提供される情報をいい、たとえば、掲示板サイトの投稿、ミュージアムサイトの画像、音楽サイトの楽曲ファイルなどである。
【００４９】
本発明は、上記課題を解決するための手段として、以下のような特徴を有する。
【００５０】
上記の発明は、ユーザに複数の情報源を提示するためのグラフィカルユーザインターフェイスを備えていてもよく、解析により得られた情報源の相関関係に基づいて情報価値空間内に配置された情報源表示オブジェクトを表示することを特徴とする。また、該情報源表示オブジェクトの外観は、対応する情報源の属性若しくは特性に応じて決められるようになっている。情報源の属性若しくは特性としては、情報源の活性度が一例としてあげられる。活性度とは、ある一定期間における情報源の情報の増加度（例えば、掲示板コミュニティにおける発言数）によって定めるようにしても良い。あるいは、活性度はある一定期間における情報の追加間隔（たとえば、発言と発言の間隔）によってさだめられるものであっても良い。
【００５１】
また、情報源の属性若しくは特性として、情報源の新鮮度という尺度も考えられる。「新鮮度」は、該情報源が発生してからの期間により定まるものとしても良いし、最後に追加された情報の追加日時によって定まるものであっても良い。
【００５２】
上記「活性度」は情報源表示オブジェクトの回転速度によって表示されるようにし、上記「新鮮度」は、情報源表示オブジェクトの形状によって表示されるようにしても良いし、あるいはこの逆であっても良い。
【００５３】
また、上記の発明は、ユーザに複数の情報源を提示するためのグラフィカルユーザインターフェイスを備えていてもよく、解析により得られた情報源の相関関係に基づいて配置された情報源表示オブジェクトを含む情報価値空間全体を表示する第１の表示領域と、当該情報価値空間のうち、ユーザの仮想的視界内に含まれる領域を表示する第２の表示領域とを有することを特徴とする。
【００５４】
また、第１の表示領域と第２の表示領域とを共に備えることで、ユーザにマクロ的視点およびミクロ的視点の双方から、多数の情報源表示オブジェクトを含む情報価値空間をユーザに示す機能を有する。
【００５５】
第１の表示領域は、全体の思考系である情報価値空間のうち現在どの位置に視点があるかをユーザに表示する機能を有する。
【００５６】
第２の表示領域は、視点の移動やズームなどによりユーザが情報価値空間を詳細に調べることを可能とする。
【００５７】
また、上記の発明は、情報源表示オブジェクトを記録して、該記録した情報源表示オブジェクトの最新の状態を表示するための第３の領域をさらに具備することを特徴とする。情報源表示オブジェクトを記録し、単体で確認できるようにすることで、対応する情報源の変化を継続的に観察できるようになる。
【００５８】
上記の発明は、ユーザによって指定された視界を記録し、ユーザからの要求に応じて記録した視界における情報価値空間の内容を前記第１の領域に表示させるための第４の領域をさらに具備することを特徴とする。第４の領域は、定点観測により、情報価値空間における特定のエリアの変化、たとえば新しい情報源の発生、情報源の消滅、情報源の位置（情報価値あるいはコミュニケーション価値）の変化などを観察することを容易にする。
【発明の効果】
【００５９】
効率の良い情報源の探索、観察、参加の手段を提供できる。
【発明を実施するための最良の形態】
【００６１】
以下、本発明の実施の形態にかかる情報媒介システムについて、図面を参照し
ながら詳細に説明する。
【００６２】
［第１の実施の形態］
第１の実施の形態は情報源１０６として、インターネット上の電子掲示板システム（以下、掲示板と呼ぶ）を扱うものである。ここで「掲示板」とは、複数の参加者が参加して成立するものであるとし、その活動内容の第一義的な情報とは情報源のユーザ・利用者によって当該情報源に加えられた情報であって、たとえば掲示板ユーザにより電子掲示板に書き込まれた自然文であるものとする。
【００６３】
［システム構成例］
図２は、本実施の形態にかかる情報媒介システムの利用者（ユーザ）と掲示板とを結びつける情報媒介システムの構成例を示すブロック図である。同図において、情報媒介システムは、通信網２０１に接続された情報媒介サーバと、通信網２０１に接続された掲示板サーバ２０３と、通信網２０１を介して情報媒介サーバ２０２および掲示板サーバ２０３と接続可能なクライアント装置２０４とを有している。なお、掲示板サーバ２０３が１つのみ図示されているが、これは代表が表示されているものであって複数の掲示板サーバ２０３があるものとする。
【００６４】
［通信網２０１］
通信網２０１は、有線・無線、専用回線・交換回線を問わず、これに接続されている装置がそれぞれ目的とする装置に対しセッションを確立したときにその間での情報の送受を可能とするように作用する。各通信網は、インターネットのように、ゲートウエイを介して複数のネットワークが組み合わされて実現しても構わない。また、その接続についてもいわゆるバックボーンといわれる基幹線に直接接続せずとも、ＰＰＰ接続などによって一時的に接続してあっても、セッションを確立したときにその間で情報の送受ができるようになっていれば構わない。なお、上記「通信網」は専用回線を固定的に張りめぐらせたような、交換機を用いない通信網も含むものとする。
【００６５】
［情報媒介サーバ２０２］
情報媒介サーバ２０２は、情報源１０６たる複数の掲示板サーバ２０３が提供する掲示板サイト相互の相関関係を、掲示板サイトの中身（たとえば、掲示板に掲載される投稿文）にもとづいて、所定の指標を決定するとともに、該所定の指標と前記掲示板サイトとを関係づけ、かつ該所定の指標と前記掲示板サイトとをクライアント装置に表示させるための情報を生成し、提供する。
【００６６】
情報媒介サーバ２０２は、たとえばコンピュータ、ワークステーションなどの情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置で構成されていて良い。前記ＲＯＭ、もしくはハードディスク装置などに情報処理装置を情報媒介サーバ２０２として機能させるためのプログラム、もしくは情報媒介方法をコンピュータに実行させるためのプログラムが記憶されており、該プログラムを主メモリ上に載せ、ＣＰＵがこれを実行することにより情報媒介サーバ２０２が実現され、若しくは情報媒介方法が実行される。また、上記プログラムはからなずしも当該装置内の記憶装置に記憶されていなくともよく、外部の装置（例えば、ＡＳＰ（アプリケーション・サービス・プロバイダ）のサーバなど）から提供され、これを主メモリに乗せる構成であっても良い。
【００６７】
［掲示板サーバ２０３］
掲示板サーバ２０３は、１又は複数の掲示板サイトを実現するためのサーバ装置であって、投稿者たるクライアント装置２０４からの投稿を受け取り、これを記憶し、クライアント装置２０４からの要求に応じて投稿内容をクライアント装置に表示させる機能を有する。
【００６８】
［クライアント装置２０４］
クライアント装置２０４は、情報媒介サーバ２０２から該所定の指標と前記掲示板サイトとをクライアント装置に表示させるための情報を受け取り、これを表示処理することにより、ユーザと掲示板サイトを結びつける機能を有する。クライアント装置２０４は、通信網２０１を介して情報媒介サーバ２０２に接続可能なコンピュータ、ワークステーション、移動体端末などの情報処理装置であって、たとえばＷｅｂ接続機能を有しＷｅｂ文書閲覧ソフトウエアであるいわゆるブラウザを搭載したコンピュータ、もしくは移動体通信端末、ＰＤＡ（Personal Digital Assistant）などである。
【００６９】
［掲示板クライアント装置３０３］
掲示板クライアント装置３０３は、掲示板サーバ２０３が提供する掲示板サイトに投稿もしくは閲覧をする機能を有する。掲示板クライアント装置３０３は、通信網２０１を介して掲示板サーバ２０３に接続可能なコンピュータ、ワークステーション、移動体端末などの情報処理装置であって、たとえばＷｅｂ接続機能を有しＷｅｂ文書閲覧ソフトウエアであるいわゆるブラウザを搭載したコンピュータ、もしくは移動体通信端末、ＰＤＡ（Personal Digital Assistant）などである。なお、同一の情報処理装置がクライアント装置２０４かつ掲示板クライアント装置３０３として機能するようにしても良い。
【００７０】
図３は、情報媒介サーバ２０２、クライアント装置２０４、および複数の掲示板を含む情報源空間３０１との関係を示す図である。情報媒介サーバ２０２は、情報源空間３０１に含まれる複数の掲示板３０２の内容を取得する手段である情報収集部３０５と、該情報収集部３０５によって取得した内容から情報価値を解析する解析部３０６を持つ。また、クライアント装置２０４は、情報媒介サーバ２０２より供給される解析内容を表示するための表示部３０７を有している。情報源空間３０１は、複数の掲示板３０２を含み、それぞれの掲示板３０２は、掲示板ユーザ３０４から掲示板クライアント装置３０３によって提供される投稿を受け取り、これを記憶するとともに投稿内容を掲示板クライアント装置３０３によって掲示板ユーザ３０４に示す。なお、掲示板ユーザ３０４と、本システムのユーザ３０８は同一であっても良いし、異なっていても良い。
【００７１】
図４は、図３に示すように情報媒介サーバ２０２を独立して設けない場合の別のシステム構成例を示す図である。本変形例においては、ユーザ３０８の操作するクライアント装置２０４に前記取得手段たる情報収集部３０５と前記解析部３０６を設けるようにしても良い。
【００７２】
図５は、本システムのさらに別の構成例を示す図である。本構成例においては、情報媒介サーバ２０２となる情報処理装置が同時に掲示板サーバ２０３としても機能する場合を示している。本実施の形態は、かかる構成においても成立する。
【００７３】
つぎに、図２および図３に示す情報媒介サーバ２０２、掲示板サーバ２０３、クライアント装置２０４、掲示板クライアント装置３０３の構成例について説明する。
【００７４】
［掲示板サーバ、掲示板クライアント装置の構成例］
図６は、掲示板サーバ２０３、および掲示板クライアント装置３０３の構成例を示すブロック図である。掲示板サーバ２０３は、通信制御部６０１と、メインコントローラ６０２と、表示情報生成部６０３と、掲示内容登録処理部６０４と、掲示内容データベース（ＤＢ）６０５とを有している。
【００７５】
通信制御部６０１は、通信網からの情報を受け取り、また通信網へ情報を送出する機能を有し、たとえばプロトコル・スタック、該プロトコル・スタックに従って所定の通信手順を実行する中央演算装置などで構成される前置通信処理装置（Front End Communication Processor）である。メインコントローラ６０２は、通信制御部６０１および表示情報生成部６０３と、掲示内容登録処理部６０４とを制御して掲示板クライアント装置３０３からの投稿を受け付けるとともに掲示内容を示すデータを掲示板クライアント装置３０３に提供する機能を有する。
【００７６】
表示情報生成部６０３は、掲示内容ＤＢ６０５からデータを読みとりこれに基づいて掲示板クライアント装置に送信するためのデータ（たとえば、投稿内容を有するＨＴＭＬ文書データ）を生成する機能を有する。
【００７７】
掲示内容登録処理部６０４は、掲示板クライアント装置３０３から送信された投稿データを掲示内容ＤＢ６０５に書き込む機能を有する。掲示内容ＤＢ６０５は、投稿データを読み書き可能に記録する機能を有している。
【００７８】
一方、掲示板クライアント装置３０３は以下のような構成を有している。掲示板クライアント装置３０３は、通信制御部６０６と、メインコントローラ６０７と、表示部６０８と、入力部６０９とを有している。
【００７９】
通信制御部６０６は、通信網２０１からの情報を受け取り、また通信網２０１へ情報を送出する機能を有し、たとえばプロトコル・スタック、該プロトコル・スタックに従って所定の通信手順を実行する中央演算装置などで構成される前置通信処理装置（Front End Communication Processor）である。通信制御部６０６は、ウインドウズ（登録商標）などのオペレーティング・システム（ＯＳ）によって掲示板クライアント装置に実装されても良い。
【００８０】
メインコントローラ６０７は、掲示板クライアント装置３０３における通信、入力、表示を制御する機能を有し、たとえばインターネット・エクスプローラ（登録商標）やネットスケープ・コミュニケータ（登録商標）などのウェブブラウザ・ソフトウエアである。表示部６０８は、情報をユーザに表示するための手段であって、たとえば液晶ディスプレイ装置、ＣＲＴ（Cathode Ray Tube）などである。入力部６０９は、ユーザからの入力を受け付けるための手段であって、たとえばキーボード、ポインティングデバイスなどである。
【００８１】
図７は、情報媒介サーバ２０２、およびクライアント装置２０４の構成例を示すブロック図である。
【００８２】
情報媒介サーバ２０２は、通信制御部７０４と、これに接続されたメインコントローラ７０５および情報収集部３０５と、メインコントローラ７０５に接続された検索部７０７および形態素解析部７０６と、情報収集部３０５に接続された解析部３０６と、メインコントローラ７０５、情報収集部３０５および解析部３０６に接続された表示オブジェクトデータベース（ＤＢ）７０８とを有している。
【００８３】
通信制御部７０４は、通信網２０１からの情報を受け取り、また通信網２０１へ情報を送出する機能を有し、たとえばプロトコル・スタック、該プロトコル・スタックに従って所定の通信手順を実行する中央演算装置などで構成される前置通信処理装置（Front End Communication Processor）である。
【００８４】
メインコントローラ７０５は、情報媒介サーバ２０２の各構成要素を制御する機能を有する。形態素解析部７０６は、検索文章（自然文）を解析し、その自然文から所定の条件に合致する単語を抽出する機能を有する。所定の条件とは解析結果に含まれる品詞の指定、見出し語の形式（出現形、語幹など）である。
【００８５】
検索部７０７は、検索式を受け付け、該検索式に合致する検索結果として抽出された情報源を返す機能を有する。たとえば、検索部７０７は、前記形態素解析部７０６が抽出した単語を含む情報源を検索し、検索結果として抽出した情報源を特定するＵＲＩ（Uniform Resource Identifier）を返すように動作する。
【００８６】
情報収集部３０５は、所定の情報源の追加、修正若しくは更新の有無を調べ、これら追加などがあればその内容を取得するように機能する。なお、情報収集部３０５は、巡回ロボットのように情報を情報源１０６から収集するものであっても良いし、あるいは情報源１０６からのＰＵＳＨ形情報として供給される情報を取得するものであっても良い。
【００８７】
表示オブジェクトＤＢ７０８は、各情報源を多元的な情報価値と関連づけて表示するためのデータを格納する機能を有する。図８に、表示オブジェクトＤＢ７０８のデータ構成例を示す。図８は一つの掲示板に関するレコードの構成を示している。表示オブジェクトＤＢ７０８は、このようなレコードを表示対象となる各情報源１０７（＝掲示板）ごとに有している。
【００８８】
解析部３０６は、表示オブジェクトＤＢ７０８に格納されている内容、および／または情報収集部３０５が収集した内容を統計的手法により解析し、多元的な情報価値１０４を導出するとともに該情報価値１０４と情報源１０６との関連づけを行う機能を有する。なお、解析部３０６は、情報源１０６を表す各オブジェクトを表示する空間の全体軸を変更するときに機能し、たとえば数ヶ月に１回ごとに動作する程度でよい。
【００８９】
なお、上述の情報媒介サーバ２０２の各構成要素は、必ずしも物理的に１つの装置内に設けられることを必要するものではなく、たとえば通信回線で相互に接続された複数の装置に分散して配置されていても良い。
【００９０】
次に、解析部３０６の構成例について説明する。図９は、解析部３０６の構成例を示すブロック図である。同図に示す例において、解析部３０６は、形態素解析部９０１と、これに接続された多変量解析部９０２と、多変量解析部９０２に接続された道標データ作成部９０３、ガイドデータ作成部９０４、各基底語座標値作成部９０５と、上記各作成部に接続されたデータベース（ＤＢ）登録コントローラ９０６とを有している。
【００９１】
形態素解析部９０１は、情報収集部３０５が収集した自然文などを解析し、その自然文から所定の条件に合致する単語を抽出する機能を有する。所定の条件とは解析結果に含まれる品詞の指定、見出し語の形式（出現形、語幹など）である。
【００９２】
多変量解析部９０２は、各掲示板についての情報（表示オブジェクトＤＢ３０５に格納されているデータ、情報収集部３０５によって収集されたデータ）を統計的手法で解析し、掲示板の相関関係などを求める。多変量解析部９０２を実現する手法の１つとして、特開２００１−１５５０６３号「思考形の解析方法および解析装置」に記載された技術が考えられる。
【００９３】
道標データ作成部９０３は、多変量解析部９０２の解析結果に基づいて、各掲示板の情報価値を表すためのオブジェクトのデータを作成する機能を有する。
【００９４】
ガイドデータ作成部９０４は、多変量解析部９０２の解析結果に基づいて、後に説明する「チューブ」を表示するためのデータを作成する。ガイドデータとは、情報源の配置に関わる規則性をユーザに視覚的に表示するためのデータである。
【００９５】
各基底語座標値作成部９０５は、情報価値空間を形成する指標として機能する「基底語」の位置座標を生成する機能を有する。ＤＢ登録コントローラ９０６は、各作成部によって作成されたデータを表示オブジェクトＤＢ７０８に書き込み、もしくは読み出すＤＢＭＳ（データベース管理システム）として機能する。
【００９６】
なお、上述の解析部３０６の各構成要素９０１から９０６は、必ずしも物理的に１つの装置内に設けられることを必要するものではなく、たとえば通信回線で相互に接続された複数の装置（クライアント装置２０４を含む）に分散して配置されていても良い。
【００９７】
［情報媒介サーバの動作例］
情報媒介サーバ２０２は、クライアント装置２０４の要求に応じて、ユーザと情報源（本実施の形態においては掲示板）とを結びつけるための情報を、表示オブジェクトＤＢ７０８に格納されたデータに基づいて作成し、これをクライアント装置２０４に送信する。このユーザと情報源とを結びつけるための情報は、クライアント装置２０４において表示ユーザインターフェイスとしてユーザに提供される。また、情報媒介サーバ２０２は、以下の定期的監視処理を行う。
【００９８】
［定期的監視処理］
一般に情報源１０６は参加発展的な性質を持つ場合においては、その情報価値及びこれらの情報価値空間は時間の経過とともに変化する。本発明では定期的に情報源から内容を取得することによって、この変化を反映し、ユーザに情報源、その情報価値、情報価値空間の新しい状態を表示することができる。
【００９９】
この定期的監視処理に関するアルゴリズムを図１０、図１１に示す。図１０は各情報源の属性（活性度など）の更新のアルゴリズムであり、図１１は情報価値空間の解析に伴う更新のアルゴリズムである。前者は後者に比べ処理が軽いため、更新頻度を上げて行い常に最新情報をアップデートしておくことでユーザの利便性を高めることができる。
【０１００】
図１０において、情報媒介サーバ２０２は、まずタイマー（図略）のリセットをおこなう（ステップ１００１）。つぎに、タイマーリセット後所定期間が経過したか否かをチェックする（ステップ１００２）。所定期間が経過していなければステップ１００２に戻り、経過した場合には、情報収集部３０５を起動させ、各掲示板の巡回を実行し、更新された情報の収集を行う（ステップ１００３）。
【０１０１】
以降、再びステップ１００１に戻り同様の処理が繰り返し実行される。これにより、定期的に掲示板の更新された情報の収集が可能となり、アップデートされた情報に基づいて、ユーザと情報源を結びつけるための情報を提供することが可能となる。
【０１０２】
図１１は、情報媒介サーバ２０２が情報価値空間の解析に伴う更新処理の流れを示している。まず、情報媒介サーバ２０２はタイマー（図略）のリセットをおこなう（ステップ１１０１）。つぎに、タイマーリセット後所定期間が経過したか否かをチェックする（ステップ１１０２）。所定期間が経過していなければステップ１１０２に戻り、経過した場合には、情報収集部３０５を起動させて各情報源から更新された情報の収集を行う（ステップ１１０３）。収集された更新情報およびすでに記録済みの情報に基づいて、解析部３０６により各情報源（本実施の形態においては掲示板）の相関関係等を分析する（ステップ１１０４）。その後、分析結果に基づいて生成した、情報源を示すオブジェクト（以下、「情報源表示オブジェクト」という）の情報価値空間における座標値、道標データ、ガイドデータ、基底語座標値などを表示オブジェクトＤＢ７０８に書き込む（ステップ１１０５）。以降、再びステップ１１０１に戻り同様の処理が繰り返し実行される。
【０１０３】
［クライアント装置２０４における情報価値空間の表示方法の例］
情報源１０６（本実施の形態では掲示板）の情報価値及び情報源相互の相関関係を導出するために、対象とする多数の情報源全体の情報価値の体系が形成する情報価値空間を考える。情報価値空間の導出には、情報源が含む第一義的な情報を用いることが考えられ、情報源１０６として掲示板を扱う場合には、対象とする掲示板の発言内容を解析要素として用い、例えば、特開2001-155063「思考系の解析方法および解析装置」に挙げられる解析方法を利用することが考えられる。
【０１０４】
また前記特許公開公報記載の方法により、求められた情報価値空間上に個々の情報源表示オブジェクトを（例えば１つの掲示板を１つのオブジェクトとして表示することとし）それぞれの情報源が有する情報価値の相関関係に応じた位置に布置することができる。このようにして布置された情報源表示オブジェクトは、類似若しくは近似した情報価値を持つもの同士が近傍に布置されて表示される。
【０１０５】
この表示方法により、ユーザはある１つの情報源（掲示板）を閲覧等することにより、その情報源表示オブジェクトの近傍に配置される他の情報源表示オブジェクトに対応する情報源の情報価値を類推することができる。
【０１０６】
また、この表示方法は、近傍の情報源表示オブジェクトに対応する情報価値を代表する道標データを表示することにより、ユーザがその道標データの近傍にある情報源表示オブジェクトによって示される情報源の情報価値を容易に知ることができる。これにより、ユーザが欲する情報価値を有する情報源を見つけだすことおよびそれに伴う発見的探索を支援することを可能とする。
【０１０７】
また、情報源表示オブジェクトの布置された規則性をユーザに視覚的に示すガイドデータを情報源表示オブジェクトと合わせて表示することにより、ユーザがその規則性を直感的に把握できるようにする。
【０１０８】
上記のように情報媒介サーバ２０２は、ユーザと情報源を結びつけるための情報を得て、これをクライアント装置２０４に提供する。クライアント装置２０４は、提供された情報をメインコントローラ７０２で処理し、表示部３０７によってユーザが認識できるように表示する。以下に本実施の形態におけるユーザと情報源を結びつけるための情報の表示方法およびその方法によって実現されるグラフィカルユーザインターフェイスについて説明する。
【０１０９】
図１２は、本実施形態において表示される情報価値空間の例を示す図である。この例において、情報価値空間は３次元の空間（宇宙空間）に模して表示されている。３次元宇宙空間１２０１内には、複数の情報源（本例では掲示板）が存在しており、各情報源は銀河もしくは星を模した情報源表示オブジェクト１２０２として表示されている。情報源表示オブジェクト１２０２は、それぞれ形状、大きさ、回転速度、色彩などの属性を有しており、これら属性は情報源表示オブジェクト１２０２に対応する情報源の特徴を表現するものである。たとえば、形状はその情報源の新鮮度を表し、大きさはその情報源の構成員数を表し、回転速度はその情報源の活性度（所定期間における投稿数など）を表す、などのようにユーザに直感的にわかりやすい表現方法をとることが好ましい。
【０１１０】
また、３次元宇宙空間１２０１において、ユーザ視点は自由に変更できるようになっており、ユーザは自己の好む位置および方向から３次元宇宙空間１２０１に配置された情報源表示オブジェクト１２０２を観察等することができるようになっている。たとえば任意方向に自由に移動したり、視線方向を自由に変更したりできるようにして該空間に含まれる情報源表示オブジェクト１２０２を自由に観察できるようにする。
【０１１１】
図１３は、ガイドデータを含む情報価値空間の表示例を示す図である。同図において、情報価値空間１３０１内に、情報源表示オブジェクト１２０２が配置されているとともに、ガイドデータであるチューブ１３０３と、道標データを表す基底語ラベル１３０２が配置されている。
【０１１２】
例えば前記特開2001-155063「思考系の解析方法および解析装置」に挙げられる解析方法に挙げられる方法によれば、同傾向の情報価値を持つ情報源表示オブジェクトが１つの直線上に並ぶような布置が可能である。この場合にその直線を示すガイドデータとしてチューブ１３０３を表示することにより、情報価値空間１３０１内に布置された情報源表示オブジェクト１２０２それぞれの傾向の方向性が分かりやすい表示方法を提供することができる。たとえば、ユーザは同一チューブ１３０３周辺の情報源表示オブジェクト１２０２を選択することによって共通した情報価値を有する複数の情報源を容易に発見することが可能となる。
【０１１３】
また、ユーザは自分のユーザ価値観に合致する道標１３０２を多数発見できる領域において情報源表示オブジェクト１２０２を選択することによって、自己のユーザ価値観に合致した情報価値を有する情報源を容易に発見することが可能となる。
【０１１４】
また、前述のように各情報源表示オブジェクト１２０２の色、形状、テクスチャ、回転速度などの非言語的な属性を用いて、対応する情報源の状態（例えば活性度や新鮮度など）をユーザに視覚的に表示することによって、ユーザが直感的に情報源の状態を把握することを可能としている。
【０１１５】
図１４は、図１３の表示例において、ある情報源表示オブジェクト１２０２が、ユーザの所定の操作（たとえば、ポインティングデバイスによるクリックなど）によって、活性化された場合の画面例を示す。同図においては、オブジェクト１２０２がクリックされたことにより、掲示板表示用のウインドウ１４０１が生成されて掲示板の内容がクライアント装置２０４の表示部３０７に表示されている様子が示されている。
【０１１６】
すなわち、表示されている情報源表示オブジェクト１２０２それぞれに対応する情報源を特定するための情報（たとえば、ＵＲＩ（Uniform Resource Identifier））を対応付けておき、ユーザがマウスのクリックなどを用いて情報源表示オブジェクトを選択・実行することにより、対応する情報源へジャンプしその内容がクライアント装置２０４の表示部３０７表示される。これによりユーザはより手軽に情報源を選び、その内容を閲覧し、参加することが可能となる。
【０１１７】
［グラフィカルユーザインターフェイスの構成例］
次に、クライアント装置２０４の表示部３０７により提供されるグラフィカルユーザインタフェイス（以下、ＧＵＩという）の構成例について図１５から図１８を参照しながら説明する。図１５は、情報媒介サーバ２０２によって提供されるユーザと情報源を結び付けるための情報を、クライアント装置２０４によって表示させるためのＧＵＩの構成例を示す図であり、図１６は、情報価値空間表示領域１５０２および全体表示領域１５０３を説明するための概念図、図１７は、情報源定点観測領域の構成例を示す図、図１８は視点クリッピング領域の構成例を示す図である。
【０１１８】
図１５に示す構成例において、ウインドウ１５０１内にはユーザと情報源を結び付けるための情報を表示するＧＵＩが生成されており、該ＧＵＩは、情報価値空間表示領域１５０２と、全体表示領域１５０３と、視界操作用領域１５０４と、検索用入力領域１５０５と、情報源定点観測領域１５０６と、属性表示領域１５０７と、視点クリッピング領域１５０８を有している。
【０１１９】
情報価値空間表示領域１５０２は、ユーザによって指定された視界における情報価値空間を表示する機能を有する。情報価値空間表示領域１５０２は、視界内に含まれる情報源表示オブジェクト１２０２、道標データ１３０２、ガイドデータ１３０３をそれぞれの位置関係に従って表示し、たとえば図１２、図１３に示すような３次元仮想空間を表示する。なお、道標データ１３０２、ガイドデータ１３０３は必ずしも表示しなくともよく、ユーザの選択により表示・非表示を切り替えるようにしても良い。
【０１２０】
情報源表示オブジェクト１２０２は、その外観が対応する情報源の属性・特性を表すようになっている。例えば情報源の新鮮度に応じて、その情報源表示オブジェクト１２０２の形状を、三角錐、立方体、多面体とするようにしても良い。また、該情報源の活性度に応じて、情報源表示オブジェクト１２０２の回転を変化させ、あるいは回転を停止させるようにしても良い。また、一例としてユーザが閲覧済みの情報源を示す情報源表示オブジェクト１２０２を所定の色（例えば赤）にするようにしても良い。また、別の例として検索用入力領域１５０５からの検索にヒットした情報源を示す情報源表示オブジェクト１２０２は、他の情報源表示オブジェクト１２０２の輝度よりも高い輝度を持たせるようにしても良い。なお、情報源の属性・特性を示す情報源表示オブジェクト１２０２の外観は、上記のような外観要素に限られるものではなく、クライアント装置２０４によって表現可能ないずれの外観要素を用いても良い。たとえば、情報源表示オブジェクト１２０２の色彩・明度・輝度、情報源表示オブジェクト１２０２に張り付ける模様・テクスチャ、情報源表示オブジェクト１２０２の明滅速度、その脈動のリズム、情報源表示オブジェクト１２０２の回転方向など様々な外観要素を用いて情報源の属性・特性を示すことが考えられる。
【０１２１】
全体表示領域１５０３は、情報価値空間全体を表示する機能を有し、情報価値空間表示領域１５０２によって表示されている領域と全体の情報価値空間との関連を示すための領域である。全体表示領域１５０３の表示により、ユーザは今自分が情報価値空間のどの位置においてどの方向を向いているのかが把握できるようになる。
【０１２２】
視界操作用領域１５０４は、情報価値空間内において視界を任意に変更するためのツールを有している。たとえば、視界操作用領域１５０４は、視界操作用領域１５０４は、視界の視線方向を上下左右に回転させるための十字キーと、視界の視点位置を前後方向（紙面に向かって垂直方向）に移動するためのプラスキー、マイナスキーとを有する。ユーザがこれらを操作することによって情報価値空間における視界を変更することができ、それに伴って情報価値空間表示領域１５０２に表示される内容が連動して変更される。
【０１２３】
図１６を用いて、視界の変更、および情報価値空間表示領域１５０２と全体表示領域１５０３との関係について説明する。まず、ユーザは情報価値空間１３０１内において、位置１６０２１から視界１６０１１となるように、情報価値空間１３０１を見渡す。このとき、視界１６０１１には２つの情報源表示オブジェクト１２０２１、１２０２２が含まれる。情報価値空間表示領域１５０２には２つの情報源表示オブジェクト１２０２１、１２０２２が表示されることとなる。
【０１２４】
次に、ユーザは視界操作用領域１５０４を用いて回転操作を行い、視界１６０１２となるようにする。視界１６０１２内には、別の２つの情報源表示オブジェクト１２０２３、１２０２４が含まれる。情報価値空間表示領域１５０２に表示される内容は視界の変更に応じて変更され、情報価値空間表示領域１５０２には２つの情報源表示オブジェクト１２０２３、１２０２４が表示され、視界１６０１２外となった情報源表示オブジェクト１２０２１、１２０２２は情報価値空間表示領域１５０２には表示されない。
【０１２５】
つぎに、ユーザは視界操作用領域１５０４を用いて視点を視点位置１６０２１から視点位置１６０２２に変更する。すると、視界１６０１２から視界１６０１３に代わり、情報価値空間表示領域１５０２には更に別の３つの情報源表示オブジェクト１２０２５、１２０２６、１２０２７が表示される。
【０１２６】
このようにしてユーザは、視界を適宜変更することによって情報価値空間内のいずれの領域も見ることができる。
【０１２７】
また、ユーザの仮想的視点移動に伴い、情報表示オブジェクトあるいは道標オブジェクトの表示を変化させてもよい。例えば、遠距離では大局的な道標を少数表示し、近距離に近づいたときには詳細な道標を多数表示する等である。このようにして表示する情報量を制御することにより、ユーザが一度に概観する情報量を適度な範囲内に収めることができ、情報価値空間の認識が容易になる。
【０１２８】
一方、全体表示領域１５０３は、情報価値空間１３０１全体を見渡すことができる視点位置１６０３から見た情報価値空間１３０１を表示する。また、情報価値空間１３０１内にユーザの現在の視点位置を表示するようにしても良い。これにより、ユーザは現在情報価値空間１３０１内のどこに位置しているのかを、直ちに把握でき、次にどちらに移動するべきかの目安とすることができる。
【０１２９】
つぎに、検索用入力領域１５０５について説明する。検索用入力領域１５０５は、ユーザから検索ワードを受け付けるための領域である。受け付けた検索ワードは情報媒介サーバ２０２の検索部７０７に渡され、検索部７０７では該検索ワードを含む情報源を特定し、これをクライアント装置２０４に通知する。クライアント装置２０４では、該通知された情報源に対応する情報源表示オブジェクト１２０２を所定の方法でユーザに表示する。所定の方法としては、該オブジェクトを特定の色彩に変更したり、明滅させたりするなどが考えられる。
【０１３０】
次に、定点観測領域１５０６について説明する。定点観測領域１５０６は、ユーザが継続して観察したい情報源表示オブジェクト１２０２を記録して、該記録した情報源表示オブジェクト１２０２の最新の状態を表示する機能を有する。図１７は、定点観測領域１５０６の構成例を示す。定点観測領域１５０６は、１又は複数の記録領域１７０１を有しており、情報源表示オブジェクト１２０２をポインティングデバイスでいずれかの記録領域１７０１迄ドラッグ等の操作を行うことによって、該情報源表示オブジェクト１２０２のコピーあるいはさらに詳細な情報を伴った表示形態の表示オブジェクトが領域１５０６内に生成され、記憶される。この定点観測領域１５０６に表示される情報源表示オブジェクト１２０２は、情報媒介サーバ２０２の最新の情報に応じて表示されるようになっており、対応する情報源の変化に応じた状態が示される。これにより、ユーザは操作用領域１５０４を用いて情報価値空間を移動せずとも、定点観測領域１５０６を参照することによって随時情報源表示オブジェクト１２０２を観察しあるいはアクセスすることが可能となる。また、詳細な情報を伴った表示形態を見ることにより詳細な情報を知ることができる。ここで、より詳細な情報を伴った表示形態の例としては、該情報源表示オブジェクト１２０２より細かい段階で回転速度に変換して表示すること等が挙げられる。
【０１３１】
つぎに、属性表示領域１５０７について説明する。属性表示領域１５０７は、ユーザの指定した情報源表示オブジェクト１２０２の詳細な情報を表示する機能を有する。詳細な情報の例としては、タイトル、サイト名、トップカテゴリ、最終更新日、総発言数などである。ユーザによる情報源表示オブジェクト１２０２の指定は、ポインタオーバー操作、クリック等により行われる。
【０１３２】
次に視点クリッピング領域１５０８について説明する。視点クリッピング領域１５０８は、ユーザによって指定された視界（視点位置および視界の方向）を記録し、ユーザからの要求に応じて記録した視界における情報価値空間の内容を情報価値空間表示領域１５０２に表示させる機能を有する。図１８は視点クリッピング領域１５０８の構成例を示す図である。この構成例において視点クリッピング領域１５０８は、視点クリッピング表示領域１８０１と、登録ボタン１８０５と、削除ボタン１８０６とを有している。視点クリッピング表示領域１８０１は記録した視点情報ごとに一のレコードを表示する機能を有している。各レコードは、視点位置を示す座標位置１８０２、視界の方向を示す視線方向１８０３、該定点の近隣に位置する投票データに関する情報１８０４等を有している。図１８に示す例では、図１６に示した３つの視界１６０１１、１６０１２、１６０１３のそれぞれに対応するレコードＲ１８０１、Ｒ１８０２、Ｒ１８０３が記録されている。ユーザはこれらのレコードのいずれかをクリックやエンターキーの押下などにより指定して、そのレコードに対応する視界を情報価値空間表示領域１５０２に表示させる。
【０１３３】
また、ユーザは登録ボタン１８０５をクリックやエンターキーの押下により活性化させると、新たな視点情報を記録することが可能である。新たな視点情報が記録されると、視点クリッピング表示領域１８０１に新たなレコードが表示される。また、ユーザはいずれかの定点情報のレコードを指定して削除ボタン１８０６をクリックやエンターキーの押下により活性化させると、その視点情報のレコードを削除することもできる。
【０１３４】
なお、上記のユーザインターフェイスの構成例は、あくまでも一例であって、本実施の形態および本発明がかかるユーザインターフェイスの構成に限定される趣旨ではない。
【０１３５】
［本形態の変形例］
本実施形態は、情報源として絵画、映像、画像、動画、音声ファイルをユーザ価値観に応じてユーザに表示・再生するシステムとして使用することも可能である。また絵画、映像、画像、動画などの内容を視覚的に表示する情報を情報源表示オブジェクトとして用いれば、情報源表示オブジェクト自体が道標データとして機能しうるので、別途道標データを用意しなくともユーザの発見的探索を支援することが可能である。
【０１３６】
［その他］
なお、本発明で扱うことのできる情報源は、電子掲示板システム等の情報サイトに限られるものでなくその他の情報であっても良い。また、情報媒介サーバ２０２によって解析される情報としては、掲示板における投稿文のような「自然文」が考えられるが、自然文の代わりにもしくは自然文とともに画像、絵画、映像（カットやシーンなどを解析要素にする）、音楽（アーティストや歌詞などを解析要素にする）などの非言語的要素をコミュニケーションの手段として用いるコミュニティ、もしくは非言語的要素そのものにも応用可能である。
【０１３７】
以下に、非言語的要素を用いた本発明の変形例について述べる。
（１）  バーチャルミュージアムサイト
図１９は、情報源がバーチャルミュージアムサイトである場合の、本発明にかかるＧＵＩ（情報価値空間表示領域）の表示例を示している。同図において、情報価値空間表示領域１９０１には、情報源表示オブジェクトとして画像のサムネイル１９０２が配置され、表示されている。サムネイル１９０２はバーチャルミュージアムサイトに収蔵されている画像のサムネイルである。ユーザはサムネイルを見ながら自分の好みに基づいて画像を発見的に探索することができる。自分の好みの画像を発見したら画像のサムネイル１９０２をクリック等するとバーチャルミュージアムサイトにジャンプするようになっており、ユーザは更にそのバーチャルミュージアムサイトの収蔵画像等を閲覧することができる。
【０１３８】
（２）  ペット写真
図２０は、情報源表示オブジェクトとして画像のサムネイルを用いた場合の、本発明にかかるＧＵＩの表示例であって、該画像はある参加者によって選択されたペットの写真である。同図において、情報価値空間表示領域２００１には、情報源表示オブジェクトとして画像のサムネイル２００２が配置されている。該サムネイルは参加者によって選択されたペットの写真である。どのようなペットの写真を選択するかは参加者の個性やライフスタイルを反映していると考えられ、ユーザは情報価値空間内に配されたサムネイル２００２を見て歩くことによって、自己のユーザ価値観と合致あるいは類似したペットのみならず、合致あるいは類似した個性・ライフスタイルを有する参加者をも発見することができる。
【０１３９】
（３）  音楽サイト
図２１は、情報源表示オブジェクトとして楽曲の全部若しくは一部（たとえば、出だしの部分）を再生するオブジェクトを用いた場合の、本発明にかかるＧＵＩの表示例であって、情報源表示オブジェクトはすべて小型の球状オブジェクトによって表されている。同図において、情報価値空間表示領域２１０１には、情報源表示オブジェクトとして小型の球状オブジェクト２１０２が配置されている。該球状オブジェクトは、ユーザによって活性化されると楽曲の全部若しくは一部を再生するようになっている。ユーザは情報価値空間を楽曲の全部若しくは一部を再生しながら探索を行い、気に入った楽曲を探すことができるようになっている。
【０１４０】
以上のように、非言語的要素を用いても本発明は成立可能である。
【０１４１】
［本実施の形態の利点］
以上説明したように、本発明によれば、ネット上の情報源をその情報価値に基づいた配置で表示することにより、ユーザの発見的探索を可能にし、かつ効率の良い情報源の探索、観察、参加の手段を提供できる。ユーザは自分の価値観そのものは明示的に表現しにくいものであるが、本実施の形態によれば、類似する情報価値を持つ情報源は互いに近接して配置されている。ユーザはその情報価値を代表する道標を目印としたり実際に情報源の内容を閲覧等することにより、自分の価値観にあった一の情報源もしくは道標を見つけることができれば、その周辺に配置された情報源も同様に価値観にあったものであることが高い確率で期待できるので、効率的に見つけることを可能としている。
【０１４２】
また、本実施の形態によれば、情報価値の類似性を示唆するガイドデータ（たとえば、チューブ）を表示することにより、ユーザが情報源の傾向を把握しやすい、という利点がある。
【０１４３】
またさらに、本実施の形態によれば、情報価値の解析には情報源内の第一義的な情報のみを用いているため、情報源の参加者あるいは運営者等に付加的な評価過程などの手間を発生する必要なく、解析を進めることができる。
【０１４４】
また、表示されている情報源表示オブジェクトをマウスのクリックなどで選択することにより、対応する情報源の提示内容が表示され、ユーザはより手軽に情報源を選び、参加することができる。
【０１４５】
また定期的に情報源から活動内容を取得することにより、ユーザに常に最新の情報価値空間の状態を表示することができる。
【０１４６】
［本実施の形態が奏する効果］
本実施の形態によれば、ユーザが自己の価値観（ユーザ価値観）に合致した情報価値を有する情報源を容易に発見することを可能とする、ユーザと情報源とを結び付けるための情報をユーザに提示することが可能となる。
【０１４７】
なお、本実施の形態によれば、ユーザは自己の価値観（ユーザ価値観）を明示的に認識していなくとも、自己の価値観（ユーザ価値観）に合致した情報価値を有する情報源を容易に発見することが可能である。
【０１４８】
また、本実施の形態によれば、自己の興味をひく情報表示オブジェクトの近隣には、近似した情報価値を有する情報表示オブジェクトが配置されているので、これらを訪問することにより、自分でも気づかなかった自己のユーザ価値観（たとえば、好み、嗜好）を発見することが可能となる。
【図面の簡単な説明】
【０１５０】
【図１】情報価値を説明するための概念図である。
【図２】利用者（ユーザ）と掲示板を結びつける情報媒介システムの構成例を示すブロック図である。
【図３】情報媒介サーバ、クライアント装置、および複数の掲示板を含むコミュニティ空間との関係を示す図である。
【図４】情報媒介サーバを独立して設けない場合の別のシステム構成例を示す図である。
【図５】本情報媒介システムのさらに別の構成例を示す図である。
【図６】掲示板サーバおよび掲示板クライアント装置の構成例を示すブロック図である。
【図７】情報媒介サーバおよびクライアント装置の構成例を示すブロック図である。
【図８】表示オブジェクトＤＢのデータ構成例を示す。
【図９】解析部の構成例を示すブロック図である。
【図１０】各コミュニティの属性（活性度など）の更新のアルゴリズムを示すフロー図である。
【図１１】情報価値空間の解析に伴う更新のアルゴリズムを示すフロー図である。
【図１２】情報価値空間の例を示す図である。
【図１３】ガイドを含む情報価値空間の表示例を示す図である。
【図１４】オブジェクトが、ユーザの所定の操作によって、活性化された場合の画面例を示す図である。
【図１５】グラフィカルユーザインターフェイスの構成例を示す図である。
【図１６】情報価値空間表示領域と全体表示領域とを説明するための図である。
【図１７】定点観測領域の構成例を示す図である。
【図１８】視点クリッピング領域の構成例を示す図である。
【図１９】グラフィカルユーザインターフェイスの別の構成例を示す図である。
【図２０】グラフィカルユーザインターフェイスの別の構成例を示す図である。
【図２１】グラフィカルユーザインターフェイスの別の構成例を示す図である。
【符号の説明】
【０１５１】
２０１    通信網
２０２    情報媒介サーバ
２０３    掲示板サーバ（情報源）
２０４    クライアント装置
３０３    掲示板クライアント装置
３０５    情報収集（エンジン）部
３０６    解析部
３０７    表示部
７０４    通信制御部
７０５    メインコントローラ
７０６    形態素解析部
７０７    検索部
７０８    表示オブジェクトＤＢ
１２０２    情報源表示オブジェクト
１５０１    ウインドウ（ＧＵＩ）
１５０２    情報価値空間表示領域
１５０３    全体表示領域
１５０４    視界操作用領域
１５０５    検索用入力領域
１５０６    定点観測領域
１５０７    属性表示領域
１５０８    視点クリッピング領域
【図１】
0004535072.tif 000002
【図２】
0004535072.tif 000003
【図３】
0004535072.tif 000004
【図４】
0004535072.tif 000005
【図５】
0004535072.tif 000006
【図６】
0004535072.tif 000007
【図７】
0004535072.tif 000008
【図８】
0004535072.tif 000009
【図９】
0004535072.tif 000010
【図１０】
0004535072.tif 000011
【図１１】
0004535072.tif 000012
【図１２】
0004535072.tif 000013
【図１３】
0004535072.tif 000014
【図１４】
0004535072.tif 000015
【図１５】
0004535072.tif 000016
【図１６】
0004535072.tif 000017
【図１７】
0004535072.tif 000018
【図１８】
0004535072.tif 000019
【図１９】
0004535072.tif 000020
【図２０】
0004535072.tif 000021
【図２１】
0004535072.tif 000022